(57)【要約】【課題】マンション等における直貼りフロアーのリフォーム時に好適な床下地材およびそれを使用した床材構造を提供する。【解決手段】既存床材１の上に新たな床材３を上貼りするに際し、既存床材１と新たな床材３との間に介在させる床下地材２およびそれを使用した床材構造であって、第１木質基材１１、合成樹脂発泡体１２および第２木質基材１３が順に積層して接合されており、第１木質基材１１が、裏溝２１によって複数に分断されている床下地材２およびそれを使用した床材構造。【選択図】  図２
2014101726.tif 000002
【特許請求の範囲】
【請求項１】
既存床材の上に新たな床材を上貼りするに際し、既存床材と新たな床材との間に介在させる床下地材であって、
第１木質基材、合成樹脂発泡体および第２木質基材が順に積層して接合されており、
該第１木質基材が、裏溝によって複数に分断されていることを特徴とする床下地材。
【請求項２】
前記裏溝が、前記床下地材の長さ方向のみ、または、巾方向のみに形成されていることを特徴とする請求項１に記載の床下地材。
【請求項３】
前記裏溝の数が、１０００ｍｍ当たり２．２〜５．５本であることを特徴とする請求項２に記載の床下地材。
【請求項４】
既存床材の上に新たな床材を上貼りするに際し、既存床材と新たな床材との間に床下地材を介在させるリフォーム用の床材構造であって、
請求項１から請求項３までのいずれかに記載の床下地材を用いることを特徴とするリフォーム用の床材構造。
【請求項５】
既存床材および新たな床材がクッション性を有する床材であることを特徴とする請求項４に記載のリフォーム用の床材構造。
【請求項６】
既存床材および新たな床材が防音性能を有する床材であることを特徴とする請求項４または請求項５に記載のリフォーム用の床材構造。
【発明の詳細な説明】
【技術分野】
【０００１】
本発明は、建築物のリフォーム時に使用する床下地材およびそれを使用した床材構造に係り、特にマンション等における直貼りフロアーのリフォーム時に好適な床下地材およびそれを使用した床材構造に関する。
【背景技術】
【０００２】
一般住宅において、内装の床面をリフォームする場合、既存の床材等を除去した後に新たに床材等を貼り替える方法、および既存の床材の上に新たな床材等を上貼りする方法の２通りの方法が挙げられる。
【０００３】
前者の方法では、既存の床材の撤去作業に多くの手間と時間がかかる上に、撤去作業に伴う廃材が大量に発生するという問題が生じるのに対して、後者の方法では、これらの問題が解消できる利点がある。
【０００４】
特許文献１には、既存の床材の上に新たな床材をステープル等の釘類により固定する木質床材、その製造方法および床材施工方法が開示されている。
【先行技術文献】
【特許文献】
【０００５】
【特許文献１】特開２００２−１５５６１７
【発明の概要】
【発明が解決しようとする課題】
【０００６】
特許文献１に開示された木質床材は、接着剤または両面テープにより接着された上板材および下板材からなる特殊な形状の床材であり、下板材側がステープル等の釘類により既存床材に固定されるものである。
【０００７】
上記の方法は、既存床材への上貼り専用に考え出されたものであるため、通常の床材とは異なる施工技術の習得を要する。さらに、木質床材自体も特殊な薄い形状のものであるため、加工が非常に難しいという問題がある。そのため、通常の床材をそのまま上貼りに使用する方法に対する要求がある。
【０００８】
そこで、本発明は、通常の床材をそのまま上貼りできるリフォーム用の床材構造およびそれに用いられる床下地材を提案することを目的とする。
【課題を解決するための手段】
【０００９】
本発明者は、通常の直貼りフロアーを上貼りする方法につき検討した結果、以下の知見を得た。
【００１０】
（Ａ）マンションにおける通常の直貼りフロアー等の床材には防音性能を付与させるため、木質基材の裏面に発泡樹脂または不織布より成るクッション材が貼付されている。そのため、クッション性を有する既存床材の上にさらにクッション性を有する新たな床材を上貼りすると、歩行感が悪化する。また、長期間使用するうちに、不陸や段違いの問題が生じる。
【００１１】
（Ｂ）既存の床材と新たな床材との間に床下地材を介することによって、床の面剛性が強化されるため、クッション性を有する既存床材にクッション性を有する新たな床材を上貼りした時の歩行感が向上する。
【００１２】
本発明者は、既存床材と新たな床材との間に介在させる床下地材について、さらに検討し、鋭意研究を行った結果、以下の知見を得るに至った。
【００１３】
（Ｃ）床下地材は、床の面剛性強化の目的で用いられることから、ある程度の剛性が要求されるが、あまりに剛性の高い材料であると、現場での施工に際し、床下地材を床の形状に合わせて丸鋸等で切断する必要が生じ、騒音や粉塵が発生する原因となるだけでなく、作業効率が低下する。
【００１４】
（Ｄ）作業効率向上の観点から、床下地材は、ある程度の剛性を有しつつも、カッターで切れる素材で構成されており、軽量である必要がある。
【００１５】
（Ｅ）既存床材の上に床下地材を貼ると、床下地材の剛性によって、既存床材による防音効果は減退する。そのため、新たな床材は防音性能を有するものであることが望ましい。さらに、床材構造全体としての防音性能を考慮した場合、床下地材にも床材構造全体の防音性能を既存床材より低下させない防音性能を付与することが望まれる。
【００１６】
（Ｆ）床下地材の裏面に溝を形成することによって、防音性能が向上し、床材構造全体として安定した防音効果を奏するようになる。
【００１７】
本発明は、このような知見に基づいてなされたものであり、下記の床下地材およびリフォーム用の床材構造を要旨とする。
【００１８】
（１）既存床材の上に新たな床材を上貼りするに際し、既存床材と新たな床材との間に介在させる床下地材であって、
第１木質基材、合成樹脂発泡体および第２木質基材が順に積層して接合されており、
該第１木質基材が、裏溝によって複数に分断されていることを特徴とする床下地材。
【００１９】
（２）前記裏溝が、前記床下地材の長さ方向のみ、または、巾方向のみに形成されていることを特徴とする前記（１）に記載の床下地材。
【００２０】
（３）前記裏溝の数が、１０００ｍｍ当たり２．２〜５．５本であることを特徴とする前記（２）に記載の床下地材。
【００２１】
（４）既存床材の上に新たな床材を上貼りするに際し、既存床材と新たな床材との間に床下地材を介在させるリフォーム用の床材構造であって、
前記（１）から（３）までのいずれかに記載の床下地材を用いることを特徴とするリフォーム用の床材構造。
【００２２】
（５）既存床材および新たな床材がクッション性を有する床材であることを特徴とする前記（４）に記載のリフォーム用の床材構造。
【００２３】
（６）既存床材および新たな床材が防音性能を有する床材であることを特徴とする前記（４）または（５）に記載のリフォーム用の床材構造。
【発明の効果】
【００２４】
本発明によれば、歩行感が良好であり、かつ不陸または段違いの問題も生じにくい床材構造を得ることができる。本発明の床材構造を一般住宅の床面に施工すれば、既存床材の撤去作業の必要がないため工期を短縮でき、廃材の発生を軽減できる。また、本発明の床下地材は、カッターでの切断が可能であり、軽量で持ち運び容易であることから、現場での作業効率を向上させることができる。さらに、本発明の床材構造は良好な防音性能を安定して発揮することが可能である。したがって、本発明の床材構造およびそれに用いられる床下地材は、マンション等のリフォーム用に最適である。
【図面の簡単な説明】
【００２５】
【図１】本発明の床材構造による施工途中の状態の一例を示す斜視図である。
【図２】本発明の床材構造の断面を模式的に示した図である。
【図３】本発明の床下地材の裏面図である。
【発明を実施するための形態】
【００２６】
図１は、本発明の床材構造による施工途中の状態の一例を示す斜視図である。本発明の床材構造には、既存床材１、床下地材２および新たな床材３が含まれる。各構成要素について、以下に詳細を示す。
【００２７】
１．既存床材
本発明の床材構造を施工する既存床材１については特に制限はないが、好適な既存床材として例えば、化粧材、木質基材およびクッション材から成る直貼り防音フロアー（軽量床衝撃音でＬＬ−６０またはそれより性能が優れるもの、すなわち、ＬＬ−６０以上の防音性能を有するもの等）、またはクッションフロアー等のプラスチック系シート床材等のクッション性を有する床材が挙げられる。
【００２８】
２．床下地材
既存床材１と後述の新たな床材３との間に床下地材２を介在させることによって、床の面剛性を強化し歩行感を向上させることができる。
【００２９】
図２は、本発明の床材構造の断面を模式的に示した図である。本発明の床下地材２は、第１木質基材１１、合成樹脂発泡体１２および第２木質基材１３を順に積層し、接合したものであり、第１木質基材１１は、裏溝２１によって複数に分断されている。
【００３０】
第１木質基材および第２木質基材については、例えば、合板、木質繊維材、パーチクルボード、集成材等を用いることができる。カッターでの切断が容易であるという点から、上記の木質基材に使用される材料として、比重０．５以下の針葉樹材を用いるのが好ましい。ただし、針葉樹合板または針葉樹集成材を用いる場合、他の床材との接着性を考慮し、表面に抜け節などのない平滑な材に限る。
【００３１】
合成樹脂発泡体については、例えば、スチレン、ウレタン、ポリプロピレン、ポリエチレン等合成樹脂の発泡体を用いることができる。その中でも、押し出し成型により厚さを精度良く製造することが可能な発泡ポリプロピレンを用いることが好ましい。
【００３２】
合成樹脂発泡体の発泡倍率については、特に制限はないが、圧縮強度を確保するためには、２０倍以下であることが好ましく、１５倍以下であることがより好ましく、１０倍以下であることがさらに好ましい。一方、発泡倍率が低すぎるとカッターでの切断が困難になり、また重量も増すことから、５倍以上であることが好ましい。
【００３３】
第１木質基材、合成樹脂発泡体および第２木質基材の３層を接合する方法としては、例えば、接着剤または両面テープ等を用いることができる。
【００３４】
また、合成樹脂発泡体としてポリプロピレンを用いる場合、木質基材との接着性を向上させることを目的として、ポリプロピレンの表裏面にポリエステル不織布を熱融着させおくのが好ましい。
【００３５】
床下地材の厚さについては特に制限はないが、カッターで容易に切断するためには、２０ｍｍ以下であることが好ましく、１０ｍｍ以下であることがより好ましい。一方、床の面剛性を確保するためには、床下地材の厚さは、５ｍｍ以上であることが好ましい。
【００３６】
床下地材全体の厚さに対する合成樹脂発泡体の厚さの占める割合についても特に制限はないが、３０〜７０％であることが好ましい。低比重の合成樹脂発泡体の厚さの占める割合が、３０％未満では、床下地材全体の重量が増し、カッターでの切断も困難になる。一方、合成樹脂発泡体の厚さの占める割合が、７０％を超えると、床下地材の剛性が劣る結果となる。床下地材全体の厚さに対する合成樹脂発泡体の厚さの占める割合は、４０％以上であるのがより好ましく、６０％以下であるのがより好ましい。
【００３７】
また、大きさについても、小さすぎると面剛性が小さくなり、大きすぎると施工がしにくくなることを考慮して適切な大きさのものを選択すれば良い。例えば、巾９００ｍｍ、長さ９００ｍｍ程度のもの、または、巾９００ｍｍ、長さ１８００ｍｍ程度のものを用いるのが好ましい。
【００３８】
上記のような構成にすることによって、剛性を確保するとともに、カッターでの切断が可能であり軽量な床下地材を実現することができる。例えば、厚さ２．５ｍｍ、比重０．５の第１木質基材および第２木質基材、ならびに厚さ４ｍｍ、比重０．１４の合成樹脂発泡体を用いた、全体の厚さが９ｍｍの本発明に係る床下地材は、厚さ９ｍｍ、比重０．５の木質基材のみからなる床下地材と比較して、３２％の質量を低減させることが可能となる。
【００３９】
床材構造全体としての優れた防音性能を確保するためには、優れた防音性能を有する新たな床材３を用いるのみならず、床下地材２にも防音性能を付与する必要がある。そのため、床下地材２の第１木質基材１１を裏溝２１によって複数に分断する。
【００４０】
裏溝２１は第１木質基材１１を完全に分断するように、合成樹脂発泡体１２まで達するように溝加工するのが望ましい。ただし、合成樹脂発泡体１２の深くまで裏溝２１を形成すると、床下地材２の剛性が低下し、既存床材１と新たな床材３との間に介在させた際の踏み感が悪化するため、合成樹脂発泡体部分の溝の深さは１ｍｍ以下とするのが望ましく、０．５ｍｍ以下とするのがより望ましい。
【００４１】
裏溝２１の方向について特に制限はなく、例えば、床下地材２の長さ方向もしくは巾方向またはその両方に形成することができる。溝加工に要する時間およびコストを考慮すると、裏溝２１は、床下地材２の長さ方向のみ、または、巾方向のみに形成するのが望ましい。また、図１に示すように、既存床材および新たな床材の長手方向と床下地材の長手方向とが直交するように施工するのが望ましい。新たな床材の長手方向と裏溝の方向は直交するのが防音性能の観点から好ましく、したがって、図３に示すように、裏溝２１は、床下地材２の長さ方向にのみ形成するのがより望ましい。
【００４２】
裏溝２１の数についても特に制限は設けないが、少なすぎると防音性能に劣り、多すぎると踏み感が悪化するため、例えば、巾が３尺（〜９００ｍｍ）の床下地材の長さ方向にのみ裏溝を加工する場合、２〜５本とするのが望ましい。すなわち、裏溝２１の数は、１０００ｍｍ当たり２．２〜５．５本であるのが望ましい。また、裏溝２１は床下地材にできるだけ均等に形成するのが望ましい。裏溝２１の幅についても特に制限はないが、１〜３ｍｍとするのが望ましい。
【００４３】
既存床材１への床下地材２の貼り付けは、接着剤、両面テープ、ビス、ステープルまたはこれらの組み合わせにより適宜行うことができる。中でも床下地材を確実に固定するためには、図１に示すように、ビス２２を用いるのが好ましい。ビス２２を用いる場合、図３にビス留め位置２２’を示すように、床下地材の外縁部に打つのが一般的であり、例えば、１尺（〜３００ｍｍ）ピッチでビス留めすることができる。この際、図３に示すように、裏溝２１を形成する位置とビス留め位置２２’とが一致しないように設計することが望ましい。
【００４４】
ビスを用いる場合であって、既存床材が、化粧材、木質基材およびクッション材から成る直貼り防音フロアーである場合、ビスがクッション材まで達すると固定に対する効き目が弱まるため、ビスの長さは、防音フロアーの木質基材部分で止まる長さに調整することが好ましい。
【００４５】
隣り合う床下地材同士は、特に結合させてなくても良いが、相じゃくり嵌合または実嵌合しても良い。実嵌合は、隣り合う床下地材同士の接触面を実加工凸部および実加工凹部とし、凸部を凹部に差し込んで両者を接合する本実を用いても、または双方とも実加工凹部とし、凹部に細い板を差し込んで両者を接合する雇実を用いても良い。
【００４６】
３．新たな床材
新たな床材３については特に制限はなく、一般的な木質基材の床材を用いることができる。新たな床材はクッション性を有することが好ましい。クッション性を有する床材としては、化粧材、木質基材およびクッション材が複合された直貼りフロアーや、クッションフロアーのように樹脂単体で構成されるプラスチック系シート床材が挙げられる。
【００４７】
直貼りフロアーに用いられる化粧材としては、突板、樹脂シート、樹脂含浸紙、印刷紙等が例示できる。また、木質基材としては、合板、木質繊維材、無垢材、集成材、またはこれらの組み合わせを適宜使用できる。クッション材としては、例えば、発泡樹脂または不織布を用いることができる。
【００４８】
また、新たな床材は防音性能を有することが好ましい。防音性能を有するとは、軽量床衝撃音でＬＬ−６０以上であることを意味する。好ましい防音性能はＬＬ−５０以上であり、より好ましい防音性能はＬＬ−４５以上であり、さらに好ましい防音性能はＬＬ−４０以上である。
【００４９】
床下地材２への上貼りは、接着剤または両面テープにより行うことができる。
【００５０】
以下、実施例によって本発明をより具体的に説明するが、本発明はこれらの実施例に限定されるものではない。
【実施例】
【００５１】
厚さ０．３ｍｍの化粧単板、８．７ｍｍの合板および４．５ｍｍの発泡シート（ポリウレタン、ポリエチレン複合）から成る直貼り防音フロアー（ＬＬ−４５）の既存床材の上に、厚さ２．５ｍｍの合板、４ｍｍのポリプロピレン（発泡倍率７倍）および２．５ｍｍの合板を順に積層して接合した床下地材を貼り、さらに厚さ０．１４ｍｍの化粧シート（オレフィン樹脂）、０．４ｍｍのＭＤＦ、５．４ｍｍの合板および２．５ｍｍの発泡シート（ポリウレタン）から成る直貼り防音フロアー（ＬＬ−４５）の新たな床材を上貼りした。
【００５２】
既存床材および新たな床材の大きさは、巾１４５ｍｍ、長さ９０９ｍｍである。また、床下地材の大きさは、巾９０７ｍｍ、長さ１７３８ｍｍである。床下地材としては、裏溝を形成していないもの、ならびに裏溝を床下地材の長さ方向に、ビス留め位置と重ならないように３本および４本加工したものの計３種類を作製し、実験に供した。なお、裏溝の幅は１．５ｍｍ、深さは３ｍｍとした。
【００５３】
上記の３種類の床下地材を用いた床材構造のそれぞれについて、各周波数における床衝撃音レベルの測定を行った。なお、床衝撃試験は、ＪＩＳ  Ａ  １４４０−１（２００７）に準拠して行った。測定結果を表１に示す。比較のため、既存床材のみの場合の床衝撃音レベルの測定も行い、結果を表１に合わせて示した。
【００５４】
【表１】
2014101726.tif 000003
【００５５】
表１より、既存床材と新たな床材との間に床下地材を介在させたリフォーム用床材構造では、いずれの床下地材を用いた場合であってもＬ−４５の基準値である４７．４ｄＢを下回っており、Ｌ−４５以上の防音性能を有することが分かる。しかしながら、裏溝を加工していない床下地材を用いた場合、防音性能は既存床材のみの場合と比較してわずかに劣る結果となった。一方、裏溝を３本または４本形成した本発明に係る床下地材を用いた場合、既存床材における防音性能と同等以上の性能を示す結果となった。
【産業上の利用可能性】
【００５６】
本発明によれば、歩行感が良好であり、かつ不陸または段違いの問題も生じにくい床材構造を得ることができる。本発明の床材構造を一般住宅の床面に施工すれば、既存床材の撤去作業の必要がないため工期を短縮でき、廃材の発生を軽減できる。また、本発明の床下地材は、カッターでの切断が可能であり、軽量で持ち運び容易であることから、現場での作業効率を向上させることができる。さらに、本発明の床材構造は良好な防音性能を安定して発揮することが可能である。したがって、本発明の床材構造およびそれに用いられる床下地材は、マンション等のリフォーム用に最適である。
【符号の説明】
【００５７】
１．既存床材
２．床下地材
３．新たな床材
４．コンクリートスラブ
１１．第１木質基材
１２．合成樹脂発泡体
１３．第２木質基材
２１．裏溝
２２．ビス
２２’．ビス留め位置
【図１】
2014101726.tif 000004
【図２】
2014101726.tif 000005
【図３】
2014101726.tif 000006